(57)【要約】【課題】  洗濯物をハンガーに掛けて干す際、洗濯バサミを用いることなく洗濯物の落下防止が出来る、洗濯バサミいらずのハンガーを提供する。【解決手段】  吊り下げフック２を有する本体１の吊持杆１（３）の部分に傾斜吊持杆３・４を設け、洗濯物の落下防止の為のロック機能を備える可動アーム５・６を設け、本体１の横架杆１（４）の両縁端手前にロック機能を備える肩紐用フック７・８を設けた洗濯バサミいらずのハンガーを特徴とする。【選択図】図１
2019202102.tif 000002
【特許請求の範囲】
【請求項１】
吊り下げフック２を有する本体１の吊持杆１（３）の部分に傾斜吊持杆３・４を設け、洗濯物の落下防止の為のロック機能を備えた可動アーム５・６を設け、その両可動アームの背面５（１）・６（１）の部位を欠切し、本体１の横架杆１（４）の両縁端部手前にロック機能を備えた肩紐用フック７・８を備えたことを特徴とする洗濯バサミいらずのハンガー。
【発明の詳細な説明】
【技術分野】
【０００１】  本発明は、主として襟付きシャツ、襟刳りが丸い衣類、袖なしで襟刳りの深い衣類、細い肩紐で吊るし袖なしの衣類等を洗濯し干す場合に用いる洗濯バサミいらずのハンガーに関するものである。
【背景技術】
【０００２】    洗濯物を干す時、従来だとハンガーに濡れた衣類を掛け、落下防止の為にそれらを挟持する洗濯バサミが必要であった。【０００３】    また、ベランダ等にある物干し竿や洗濯ロープに洗濯バサミをハンガーに挟持したまま掛け、外に出し続けていると風雨に晒され洗濯バサミが劣化し破損したりした。【０００４】    洗濯物を干す時、ハンガーを使用するが洗濯バサミは使用せず、洗濯乾燥時の手間を省く発明がある。
【先行技術文献】
【特許文献１】特開２０１０−２６９１０８公報
【特許文献２】特開２００６−７５３２５公報
【発明の開示】
【発明が解決しようとする課題】
【０００５】    洗濯物を干す時、洗濯物をハンガーに掛け別途用意してある洗濯バサミで落下防止の為にそれらを挟持するという動作を反復しなければならなかった。【０００６】    上記の特許文献１に係るハンガーは、洗濯物を干す際に衣類押さえアームに衣類や手が当たるという問題があった。また、特許文献２は襟付きシャツ、袖なしで襟刳りの深い衣類や細い肩紐で吊るし袖なしの衣類等などは、襟元からハンガーを通して使用すると反って手間がかかるという問題があった。本発明は、上記のような従来の洗濯バサミに係る手間の問題点に鑑み、洗濯バサミで挟持するという手間を解消し、且つ落下防止が可能であるハンガーを提供することを目的とするものである。
【課題を解決するための手段】
【０００７】  吊り下げフック２を有する本体１の吊持杆１（３）の部分に傾斜吊持杆３・４を設け、洗濯物の落下防止の為のロック機能を備える可動アーム５・６を設け、その両可動アームの背面５（１）・６（１）の部位を欠切し、本体１の横架杆１（４）の両縁端手前にロック機能を備える肩紐用フック７・８を設ける。
以上の構成によりなる洗濯バサミいらずのハンガーである。
【発明の効果】
【０００８】  洗濯物を干す時、従来だと濡れた衣類をハンガーに掛け落下防止の為にそれらを洗濯バサミで挟持するという動作が必要であったが、本発明に係るハンガーによれば洗濯物をハンガーに掛け、両可動アームを押下し本体１を押止することにより洗濯物の落下防止となり、洗濯バサミが不要である為に洗濯バサミを取り扱う煩わしさ、それにかかる手間が解消されるのである。
【発明を実施するための最良の形態】
【０００９】  以下、本発明を実施するための形態について図２より説明する。
図２は可動アーム５・６が可動する前の正面図である。本実施形態に係る洗濯バサミいらずのハンガーは、合成樹脂を材質として図２で示すように、吊り下げフック２を有する本体１とロック機能を備えた可動アーム５・６とロック機能を備えた肩紐用フック７・８で構成されている。【００１０】  図１は本発明の可動アーム５・６が可動した時の正面図である。図１で示すように可動アーム５・６が可動し本体１を押止した状態時その下部の位置に図２で示すように傾斜吊持杆３・４を設け、本体１の横架杆１（４）の両縁部手前にロック機能を備える肩紐用フック７・８を設ける。【００１１】  図３は本発明の可動アーム５の内部の状態を拡大して示した斜視図である。
図４は本発明の可動アーム５の上部を拡大して示した斜視図である。可動アーム５は先端部分が流線形を成しており全体が細長い箱形の形状を成している。流線形部分の縁端部の内側２２は本体１の吊持杆１（３）の部位を掴持する角度でカットされており、本体１の吊持杆１（３）の部位を挟持する。図３で示す可動アーム５の縁端部の内側２２が本体１の吊持杆１（３）の部位を上から押止し、内側側面２０・２１が吊持杆１（３）の部位を横から挟持し駐止される構造をなしている。
可動アーム５の流線形とは逆方向の縁端は、図９で示すように吊り下げフック２の付け根部分の傾斜面１（１）の部分を挟持し契合する大きさに遊嵌状態をもって欠切されている。【００１２】  図４で示すように、可動アーム５の上部に格子柄で描いてある部分５（１）は吊り下げフック２を収納する為の部分５（１）であり、契合する大きさに遊嵌状態をもって欠切されている。図２で示すように、可動アーム５が吊り下げフック２を収納し、図９で示すように吊り下げフック２の付け根部分の傾斜面１（１）に契合する大きさに欠切されている可動アーム５の縁部を外嵌し駐止されている状態時に、傾斜面１（１）と可動アーム５の縁部を共に穿孔し同位置に貫通孔を設ける。可動アーム５の縁部の貫通孔は９であり、傾斜面１（１）の貫通孔は１１である。【００１３】  図５は本発明の可動アーム６の内部の状態を拡大して示した斜視図である。
図６は本発明の可動アーム６の上部を拡大して示した斜視図である。
可動アーム５と同様に可動アーム６は、先端部分が流線形を成しており全体が細長い箱形の形状を成している。流線形部分の縁端部の内側２５は本体１の吊持杆１（３）の部位を掴持する角度でカットされており、本体１の吊持杆１（３）の部位を挟持する。図５で示すように可動アーム６の縁端部の内側２５が本体１の吊持杆１（３）の部位を上から押止し、内側側面２３・２４が吊持杆１（３）の部位を横から挟持し駐止される構造を成している。可動アーム６の流線形とは逆方向の縁端は、図９で示すように吊り下げフック２の付け根部分の傾斜面１（２）の部分を挟持し契合する大きさに遊嵌状態をもって欠切されている。【００１４】  図６で示すように、可動アーム６の上部に格子柄で描いてある６（１）は、吊り下げフック２を収納する為の部分６（１）であり、契合する大きさに遊嵌状態をもって欠切されている。図２で示すように、可動アーム６が吊り下げフック２を収納し、図９で示すように吊り下げフック２の付け根部分の傾斜面１（２）に契合する大きさに欠切されている可動アーム６の縁部を外嵌し駐止されている状態時に、傾斜面１（２）と可動アーム６の縁部を共に穿孔し同位置に貫通孔を設ける。可動アーム６の貫通孔は１０であり、傾斜面１（２）の貫通孔は１２である。【００１５】  図９は可動アーム５・６を外した本体１の正面図である。
吊り下げフック２の付け根部分の傾斜面１（１）・１（２）の部位に上記で示したように穿孔し貫通孔１１・１２を設ける。本体１の両縁部から吊り下げフック２に向かい吊持杆１（３）の中央部位から下部の方向に吊持杆１（３）を傾斜させ、傾斜吊持杆３・４を設ける。図１で示すように、可動アーム５・６が可動し本体１に駐止されている状態時、３（１）は傾斜吊持杆３から可動アーム５までの高さの表示であり、４（１）は傾斜吊持杆４から可動アーム６までの高さを表示している。３（１）・４（１）は、襟つきシャツの標準的な襟足の高さを考慮したものであり、それにより傾斜吊持杆３．４が構成されている。本体１の横架杆１（４）の両縁部手前にロック機能を備える肩紐用フック７・８を設ける。【００１６】  図７は可動アーム５の内部の構造を拡大して示した斜視図である。可動アーム５の格子柄で描いてある部分５（１）は、吊り下げフック２が契合する大きさに遊嵌状態をもって欠切されており、吊り下げフック２と欠切された部分５（１）は係脱自在となっている。図７は、図２で示すように吊り下げフック２を収納した状態時に吊り下げフック２の背の部分が可動アーム５から出ている状態を示している。【００１７】  また、図７は図９で示すように吊り下げフック２の付け根部分の傾斜面１（１）の位置に可動アーム５の縁部を外嵌し駐止されている状態時、上記で示したように可動アーム５の縁部に設けた貫通孔９と本体１の傾斜面１（１）に設けた貫通孔１１の位置は合致し支軸ピン１３を貫通孔９と貫通孔１１に軸通し軸止する。そして、図７は可動アーム５が本体１に軸支されている状態を示している。可動アーム５の内径を示す１９は本体１の幅と衣類の厚みを考慮したものであり、それらにより可動アーム５が構成されている。【００１８】  図８は可動アーム６の内部の構造を拡大して示した斜視図である。可動アーム５と同様に可動アーム６の格子柄で描いてある部分６（１）は、吊り下げフック２が契合する大きさに遊嵌状態をもって欠切されており、吊り下げフック２と欠切された部分６（１）は係脱自在となっている。図８は、図２で示すように吊り下げフック２を収納した状態時に吊り下げフック２の先曲り部分が可動アーム６から出ている状態を示している。【００１９】  また、図８は図９で示すように吊り下げフック２の付け根部分の傾斜面１（２）の位置に可動アーム６の縁部を外嵌し駐止されている状態時、上記で示したように可動アーム６の縁部に設けた貫通孔１０と本体１の傾斜面１（２）に設けた貫通孔１２の位置は合致し支軸ピン１４を貫通孔１０と貫通孔１２に軸通し軸止する。そして、図８は可動アーム６が本体１に軸支されている状態を示している。可動アーム６の内径を示す１８は本体１の幅と衣類の厚みを考慮したものであり、それらにより可動アーム６が構成されている。【００２０】  図１０
（イ）は、かぶせアーム７（６）が可動する前の肩紐用フック７を拡大して示した正面図である。
（ロ）は、かぶせアーム７（６）が可動する前の肩紐用フック７を拡大して示した右側面図である。
（ハ）は、かぶせアーム７（６）が可動してロック状態になった肩紐用フック７を拡大して示した正面図である。
図１０の（イ）で示すように、かぶせアーム７（６）の縁端手前の下部に突起７（１）を設け、受座の部位７（３）の外側に受け孔７（２）を設ける。（ロ）で示すようにかぶせアーム７（６）が契合されるよう受座の部位７（７）をＵ字型に欠切し支持壁７（４）・７（５）を設け、７（４）と７（５）の間にかぶせアーム７（６）を介挿させ遊嵌の状態に設け、支持壁７（４）・７（５）に介挿させたかぶせアーム７（６）が契合した状態で駐止されている状態において、支持壁７（４）・７（５）を穿孔し貫通孔１５を設け、同時にかぶせアーム７（６）を穿孔し貫通孔１６を設ける。貫通孔１５・１６の位置は合致しその状態において支軸ピン１７を軸通し軸止する。（ハ）で示すように、かぶせアーム７（６）が可動したことにより、かぶせアーム７（６）に設けた突起７（１）が受座に設けた受け孔７（２）に嵌合され、ロック状態となる。突起７（１）と受け孔７（２）が係脱可能に係合している。【００２１】  図１１
（イ）は、かぶせアーム８（６）が可動する前の肩紐用フック８を拡大して示した正面図である。
（ロ）は、かぶせアーム８（６）が可動する前の肩紐用フック８を拡大して示した左側面図である。
（ハ）は、かぶせアーム８（６）が可動してロック状態になった肩紐用フック８を拡大して示した正面図である。
図１０の説明と同様に図１１の（イ）で示すように、かぶせアーム８（６）の縁端手前の下部に突起８（１）を設け、受座の部位８（３）の外側に受け孔８（２）を設ける。
（ロ）で示すように、かぶせアーム８（６）が契合されるよう受座の部位８（７）をＵ字型に欠切し、支持壁８（４）・８（５）を設け、８（４）・８（５）の間にかぶせアーム８（６）を介挿させ遊嵌の状態に設け、支持壁８（４）・８（５）に介挿させたかぶせアーム８（６）が契合した状態で駐止されている状態において支持壁８（４）・８（５）を穿孔し貫通孔２６を設ける。同時にかぶせアーム８（６）も穿孔し貫通孔２７を設ける。貫通孔２６・２７の位置は合致しその状態において支軸ピン２８を軸通し軸止する。（ハ）で示すように、かぶせアーム８（６）が可動したことにより、かぶせアーム８（６）に設けた突起８（１）が受座に設けた受け孔８（２）に嵌合されロック状態となる。突起８（１）と受け孔８（２）が係脱可能に係合している。【００２２】  本発明は、以上のような構造である。
これを使用する時は、以下の通りである。図２で示すように可動アーム６を少し下げ吊り下げフック２を物干し竿や洗濯ロープに掛け可動アーム６を戻す。襟付きシャツは襟足が立つように傾斜吊持杆３・４の奥に掛け、襟刳りが丸い衣類の洗濯物は襟首を奥にして掛け、袖なしで襟刳りの深い衣類の洗濯物は傾斜吊持杆３．４の適宜の部位に掛け、可動アーム５・６を本体１に押下し、本体１を押止すればロック状態となり落下防止となる。細い肩紐で吊るし袖なしの衣類の洗濯物は肩紐を肩紐用フック７・８に掛け、かぶせアーム７（６）・８（６）を受座に可動させればロック状態となり落下防止となる。
また、解除するときは指で可動アーム５・６の縁部を摘み引き上げ吊り下げフック２の位置まで戻すことにより洗濯物を外すことが出来る。同様に指でかぶせアーム７（６）・８（６）引き上げることによりロック解除となり洗濯物を外すことが出来る。【００２３】  （イ）吊り下げフック２と可動アーム５・６が共に回転自在の構造にすることにより利便性が高くなる。
（ロ）傾斜吊持杆３・４に可動アームを設けることにより、タオルなども洗濯バサミを必要とせず干すことが出来る。
【図面の簡単な説明】
【００２４】
【図１】  本発明の可動アーム５・６が可動した時の本体１の正面図である。
【図２】  本発明の可動アーム５・６が可動する前の本体１の正面図である。
【図３】  本発明の可動アーム５の内部の状態を拡大して示した斜視図である。
【図４】  本発明の可動アーム５の上部を拡大して示した斜視図である。
【図５】  本発明の可動アーム６の内部の状態を拡大して示した斜視図である。
【図６】  本発明の可動アーム６の上部を拡大して示した斜視図である。
【図７】  本発明の吊り下げフック２が可動アーム５に収納されている時の可動アーム５の内部の状態を拡大して示した斜視図である。
【図８】  本発明の吊り下げフック２が可動アーム６に収納されている時の可動アーム６の内部の状態を拡大して示した斜視図である。
【図９】  本発明の可動アーム５・６を外した本体１の正面図である。
【図１０】  （イ）は、かぶせアーム７（６）が可動する前の肩紐用フック７を拡大して示した正面図である。（ロ）は、かぶせアーム７（６）が可動する前の肩紐用フック７を拡大して示した右側面図である。（ハ）は、かぶせアーム７（６）が可動してロック状態になった肩紐用フック７を拡大して示した正面図である。
【図１１】  （イ）は、かぶせアーム８（６）が可動する前の肩紐用フック８を拡大して示した正面図である。（ロ）は、かぶせアーム８（６）が可動する前の肩紐用フック８を拡大して示した左側面図である。（ハ）は、かぶせアーム８（６）が可動してロック状態になった肩紐用フック８を拡大して示した正面図である。
【符号の説明】
【００２５】１        本体
１（１）  傾斜面
１（２）  傾斜面
１（３）  吊持杆
１（４）  横架杆
２        吊り下げフック
３        傾斜吊持杆
３（１）  傾斜吊持杆３の高さ
４        傾斜吊持杆
４（１）  傾斜吊持杆４の高さ
５        可動アーム
５（１）  欠切した部分
６        可動アーム
６（１）  欠切した部分
７        肩紐用フック
７（１）  かぶせアームの突起
７（２）  受座の受け孔
７（３）  肩紐用フックの受座の部位
７（４）  支持壁
７（５）  支持壁
７（６）  かぶせアーム
７（７）  欠切する部位
８        肩紐用フック
８（１）  かぶせアームの突起
８（２）  受座の受け孔
８（３）  肩紐用フックの受座の部位
８（４）  支持壁
８（５）  支持壁
８（６）  かぶせアーム
８（７）  欠切する部位
９        可動アーム５の貫通孔
１０      可動アーム６の貫通孔
１１      本体１の傾斜面１（１）の貫通孔
１２      本体１の傾斜面１（２）の貫通孔
１３      可動アーム５の支軸ピン
１４      可動アーム６の支軸ピン
１５      肩紐用フック７の支持壁の貫通孔
１６      かぶせアーム７（６）の貫通孔
１７      肩紐用フック７の支軸ピン
１８      可動アーム６の内径
１９      可動アーム５の内径
２０      可動アーム５の側面
２１      可動アーム５の側面
２２      可動アーム５の内側縁部
２３      可動アーム６の側面
２４      可動アーム６の側面
２５      可動アーム６の内側縁部
２６      肩紐用フック８の支持壁の貫通孔
２７      かぶせアーム８（６）の貫通孔
２８      肩紐用フック８の支軸ピン
【図１】
2019202102.tif 000003
【図２】
2019202102.tif 000004
【図３】
2019202102.tif 000005
【図４】
2019202102.tif 000006
【図５】
2019202102.tif 000007
【図６】
2019202102.tif 000008
【図７】
2019202102.tif 000009
【図８】
2019202102.tif 000010
【図９】
2019202102.tif 000011
【図１０】
2019202102.tif 000012
【図１１】
2019202102.tif 000013